(57)【要約】      （修正有）【課題】内部に水が入り込み難く、外部に水を排出することができるモータを提供する。【解決手段】静止部は、ケーシングの上面、且つ、軸受部よりも径方向外方に配置される環状壁２３と、ケーシングの上面に固定され、環状壁及び軸受部を覆うカバーと、を有する。環状壁は、環状壁の径方向内側と外側の面を貫通する第１スリット２３０を有する。ケーシングの上面とカバーの下面との少なくとも一方には、軸方向に凹み、且つ、径方向成分を含む方向に延びる溝部２４が設けられる。溝部は、径方向外側にて当該モータの外部に面する外開口部２４１と、径方向内側に開口する内開口部２４２と、を有する。内開口部は、カバーの内周面と比べて、同じ径方向位置、又は、径方向内側に位置する。第１スリットと内開口部とは、周方向に離れた位置に配置される。【選択図】図４
2019022325.tif 000002
【特許請求の範囲】
【請求項１】
モータであって、
ケーシングを有する静止部と、
上下方向に延びる中心軸を中心として回転する回転部と、
前記静止部に対して前記回転部を回転可能に支持する軸受部と、
を有し、
前記静止部は、
前記ケーシングの上面、且つ、前記軸受部よりも径方向外方に配置される環状壁と、
前記ケーシングの上面に固定され、前記環状壁及び前記軸受部を覆うカバーと、
を有し、
前記環状壁は、当該環状壁の径方向内側と外側の面を貫通する第１スリットを有し、
前記ケーシングの上面と前記カバーの下面との少なくとも一方には、軸方向に凹み、且つ、径方向成分を含む方向に延びる溝部が設けられ、
前記溝部は、
径方向外側にて当該モータの外部に面する外開口部と、
径方向内側に開口する内開口部と、
を有し、
前記内開口部は、前記カバーの内周面と比べて、同じ径方向位置、又は、径方向内側に位置し、
前記第１スリットと前記内開口部とは、周方向に離れた位置に配置される、モータ。
【請求項２】
前記溝部は、前記ケーシングの上面に設けられ、
前記ケーシングの上面には、前記環状壁の径方向外側、且つ、前記カバーの内周面よりも径方向内側に配置される外側環状壁が更に設けられ、
前記外側環状壁は、当該外側環状壁の径方向内側と外側の面を貫通し、前記内開口部に繋がる第２スリットを有する、請求項１に記載のモータ。
【請求項３】
前記第１スリットは、径方向内側から外側に向けて周方向の幅を狭くする第１テーパ部を有する、請求項１又は２に記載のモータ。
【請求項４】
前記第２スリットは、径方向内側から外側に向けて周方向の幅を狭くする第２テーパ部を有する、請求項２に記載のモータ。
【請求項５】
前記回転部は、前記カバーに覆われる内カバーを有し、
前記内カバーは、前記ケーシングの上面側、且つ、前記環状壁の径方向内側に配置され、前記軸受部の上面の少なくとも一部を覆う、請求項１から４のいずれか１項に記載のモータ。
【請求項６】
前記外開口部は、前記ケーシングの径方向外側の端部に位置する、請求項１から５のいずれか１項に記載のモータ。
【請求項７】
前記第１スリットと前記溝部とは、それぞれ、周方向に間隔をあけて複数配置される、請求項１から６のいずれか１項に記載のモータ。
【請求項８】
前記ケーシングは、
上部に開口を有するケーシング本体部と、
前記ケーシング本体部の上部を覆う蓋部と、
を有し、
前記カバーは、前記蓋部を前記ケーシング本体部に固定する固定部材によって前記ケーシングに固定されている、請求項１から７のいずれか１項に記載のモータ。
【請求項９】
前記ケーシングは、
上部に開口を有するケーシング本体部と、
前記ケーシング本体部の上部を覆う蓋部と、
を有し、
前記蓋部は、
下方に向けて凹み、径方向に延びる径方向溝と、
前記径方向溝の径方向内側の端部の底壁を上下方向に貫通する貫通孔と、
を有し、
前記カバーは、
カバー本体部と、
前記カバー本体部の下端から径方向外方に突出し、前記蓋部の上面と接するフランジ部と、
を有し、
前記フランジ部は、前記径方向溝の径方向外方の端部を露出させて前記径方向溝の径方向内側と軸方向に重なる、請求項１から７のいずれか１項に記載のモータ。
【発明の詳細な説明】
【技術分野】
【０００１】
本発明はモータに関する。
【背景技術】
【０００２】
特開平８−１７２７４４号公報には、防水性を向上した電動機が開示される。固定子に取りつけたブラケットの内側に、同ブラケットを貫通する回転軸を軸支するための軸受を保持する略環状の軸受保持部と、外側に軸方向に突出する第一の環状リブとその内側に第二の環状リブを形成している。そして、前記回転軸に、前記第二の環状リブの上部に、回転軸を中心に挿通した略円板状の水切板と、その外側に前記回転軸を貫通する貫通孔を中心に有し前記第一の環状リブの外周に嵌合された略有底筒状の防水カバーとを配設している。前記防水カバーの筒部の内側に水抜き溝を、その下端に水抜き口を形成している。更に、前記第一の環状リブの前記水抜き口に対応した位置にスリットを形成している。
【先行技術文献】
【特許文献】
【０００３】
【特許文献１】特開平８−１７２７４４号公報
【発明の概要】
【発明が解決しようとする課題】
【０００４】
特開平８−１７２７４４号公報に開示される電動機においては、防水カバーは、水抜き溝及び水抜き口の位置を、第一の環状リブに設けられるスリットの位置に合わせて配置する必要がある。この位置合わせに時間を要する可能性がある。また、特開平８−１７２７４４号公報に開示される電動機においては、例えば回転軸が鉛直方向と平行になる向きに配置されると、スリットから遠い位置に水が溜まる可能性がある。
【０００５】
本発明は、内部に水が入り込み難く、外部に水を排出することができるモータを提供することを目的とする。
【課題を解決するための手段】
【０００６】
本発明の例示的なモータは、ケーシングを有する静止部と、上下方向に延びる中心軸を中心として回転する回転部と、前記静止部に対して前記回転部を回転可能に支持する軸受部と、を有する。前記静止部は、前記ケーシングの上面、且つ、前記軸受部よりも径方向外方に配置される環状壁と、前記ケーシングの上面に固定され、前記環状壁及び前記軸受部を覆うカバーと、を有する。前記環状壁は、当該環状壁の径方向内側と外側の面を貫通する第１スリットを有する。前記ケーシングの上面と前記カバーの下面との少なくとも一方には、軸方向に凹み、且つ、径方向成分を含む方向に延びる溝部が設けられる。前記溝部は、径方向外側にて当該モータの外部に面する外開口部と、径方向内側に開口する内開口部と、を有する。前記内開口部は、前記カバーの内周面と比べて、同じ径方向位置、又は、径方向内側に位置する。前記第１スリットと前記内開口部とは、周方向に離れた位置に配置される。
【発明の効果】
【０００７】
例示的な本発明は、内部に水が入り込み難く、外部に水を排出することができるモータを提供する。
【図面の簡単な説明】
【０００８】
【図１】図１は、本発明の実施形態に係るモータの斜視図である。
【図２】図２は、本発明の実施形態に係るモータの概略構成を示す図である。
【図３】図３は、図１に示すモータのカバーを取り外した図である。
【図４】図４は、カバーを取り外したモータの平面図である。
【図５】図５は、図４の一部を拡大して示した図である。
【図６】図６は、本発明の実施形態に係るモータの第１変形例を示す平面図である。
【図７】図７は、第１変形例のモータの蓋部とカバーとの関係を示す概略拡大図である。
【図８】図８は、図７のＢ−Ｂ位置の概略断面図である。
【図９】図９は、本発明の実施形態に係るモータの第２変形例を示す平面図である。
【図１０】図１０は、図９に示す第２変形例のモータの側面図である。
【発明を実施するための形態】
【０００９】
以下、本発明の例示的な実施形態について、図面を参照しながら詳細に説明する。本明細書では、モータ１の中心軸Ａと平行な方向を「軸方向」、モータ１の中心軸Ａに直交する方向を「径方向」、モータ１の中心軸Ａを中心とする円弧に沿う方向を「周方向」とそれぞれ称する。また、本明細書では、図２に示す方向に配置されたモータ１の中心軸Ａが延びる方向を上下方向と定義する。ただし、上下方向は単に説明のために用いられる名称であって、実際の位置関係及び方向を限定しない。
【００１０】
＜１．モータの概略構成＞
まず、本発明の例示的な実施形態に係るモータの概略構成について説明する。図１は、本発明の実施形態に係るモータ１の斜視図である。図２は、本発明の実施形態に係るモータ１の概略構成を示す図である。図２において、左半分は断面図であり、右半分は側面図である。図１及び図２に示すように、モータ１は、静止部２と、回転部３と、軸受部４と、を有する。
【００１１】
静止部２は、ケーシング２０と、カバー２１と、ステータ２２と、を有する。本実施形態では、ケーシング２０及びカバー２１は金属製である。ただし、ケーシング２０及びカバー２１のうち少なくとも一方は金属製以外であってよく、例えば樹脂製等であってよい。
【００１２】
ケーシング２０は、ケーシング本体部２０１と、蓋部２０２と、ブラケット２０３と、を有する。ケーシング本体部２０１は上部に開口を有する。詳細には、ケーシング本体部２０１は筒状である。すなわち、本実施形態では、ケーシング本体部２０１は下部にも開口を有する。ケーシング本体部２０１の内周面は、軸方向からの平面視において円形状である。ステータ２２は、ケーシング本体部２０１内に収容される。
【００１３】
蓋部２０２は、ケーシング本体部２０１の上部を覆う。詳細には、蓋部２０２は、ケーシング本体部２０１の上部開口を覆う。蓋部２０２は円板形状である。蓋部２０２は、中央部に後述のシャフト３１を通す孔を有する。蓋部２０２は、後述の図３に示すように、外周に径方向外方に向けて突出する蓋固定部２０２ａを有する。蓋固定部２０２ａは、固定部材５を取り付ける孔を有する。本実施形態では、固定部材５はねじである。ねじ５は、ケーシング本体部２０１に上面に設けられる不図示のねじ孔に固定される。蓋固定部２０２ａに固定部材５が取り付けられることによって、蓋部２０２はケーシング本体部２０１に固定される。なお、固定部材５はねじに限定されず、例えばリベット等であってよい。
【００１４】
ブラケット２０３は、ケーシング本体部２０１の下部に取り付けられる。ブラケット２０３は、ケーシング本体部２０１の下部開口を覆う。ブラケット２０３は円板形状である。ブラケット２０３は、固定部材５によってケーシング本体部２０１に固定される。本実施形態では、固定部材５はねじであるが、リベット等の他の部材であってよい。なお、蓋部２０２とブラケット２０３とのうち一方は、ケーシング本体部２０１と単一部材であってもよい。
【００１５】
カバー２１は、ケーシング２０の上面に固定される。詳細には、カバー２１は蓋部２０２の上面に固定される。カバー２１は、カバー本体部２１０と、フランジ部２１１とを有する。フランジ部２０２は、カバー本体部２１０の下端から径方向外方に突出し、蓋部２０の上面と接する。
【００１６】
本実施形態では、カバー本体部２１０は有底円筒形状である。カバー本体部２１０は中央に孔部２１０ａを有する。孔部２１０ａには、後述のシャフト３１が通される。フランジ部２１１は円環状である。フランジ部２１１の外周は、軸方向からの平面視において、蓋部２０２の外周と重なる。フランジ部２１１は、その外周にフランジ固定部２１１ａを有する。フランジ固定部２１１ａは、フランジ部２１１の外周から径方向外方に向けて突出する。フランジ固定部２１１ａは、固定部材５を取り付ける孔を有する。フランジ固定部２１１ａに固定部材５が取り付けられることによって、カバー２１がケーシング２０に固定される。
【００１７】
なお、本実施形態においては、カバー２１は、蓋部２０２をケーシング本体部２０１に固定する固定部材５によってケーシング２０に固定されている。詳細には、軸方向からの平面視において、フランジ固定部２１１ａの孔と、蓋固定部２０２ａの孔とは、ケーシング本体部２０１に設けられる不図示のねじ孔に重ねられている。固定部材５は、フランジ固定部２１１ａの孔と蓋固定部２０２ａの孔との両方を通ってケーシング本体部２０１に固定される。これにより、蓋部２０２はケーシング本体部２０１に固定される。カバー２１は、ケーシング２０に固定される。
【００１８】
本構成によれば、蓋部２０２のケーシング本体部２０１に対する固定と、カバー２１のケーシング２０に対する固定とを共通の固定部材５を用いて行うことができるために、モータ１の部品点数を低減することができる。ただし、蓋部２０２のケーシング本体部２０１に対する固定と、カバー２１のケーシング２０に対する固定とは、別々の固定部材を用いて行ってよい。固定部材は、ねじに限定されず、リベット等の他の部材であってよい。
【００１９】
ステータ２２はモータ１の電機子である。ステータ２２は円環状である。ステータ２２の中心は、モータ１の中心軸Ａと一致する。図２に示すように、ステータ２２は、ステータコア２２１と、コイル２２２と、インシュレータ２２３と、を有する。
【００２０】
ステータコア２２１は、例えば磁性鋼板を軸方向に積層して構成される。ステータコア２２１は、詳細には円環状のコアバック２２１ａと、コアバック２２１ａから径方向内側に向けて突出する複数のティース２２１ｂと、を有する。なお、ステータコア２２１は、例えば、コアバックとティースとを有するコアピースを周方向に複数接合して構成してもよい。
【００２１】
コイル２２２は、インシュレータ２２３を介して各ティース２２１ｂに導線を巻き付けることによって構成される。コイル２２２は、周方向に複数配置される。
【００２２】
インシュレータ２２３は、ステータコア２２１とコイル２２２とを電気的に絶縁する絶縁性の樹脂部材である。インシュレータ２２３は、ステータコア２２１の少なくとも一部を覆う。インシュレータ２２３は、例えば、インサート成形によってステータコア２２１と単一部材にされてもよい。また、インシュレータ２２３は、ステータコア２２１とは別部材とされてもよい。この場合、インシュレータ２２３は、例えば、ステータコア２２１に上下から被せられる２つの部材で構成されてもよい。
【００２３】
回転部３は、上下方向に延びる中心軸Ａを中心として回転する。回転部３は、シャフト３１と、ロータ３２と、内カバー３３と、を有する。回転部３は、ステータ２２の径方向内側に位置する。
【００２４】
シャフト３１は、軸方向に延び、軸受部４の径方向内側に位置する。本実施形態では、シャフト３１は円柱状の金属部材である。シャフト３１は、その一部がケーシング２０の上面から上方に突出し、当該突出した部分の一部が孔部２１０ａを通ってカバー２１の上側に更に突出する。シャフト３１の上方の外部に突出した部分には、例えば、ファンやギア等が取り付けられる。ただし、シャフト３１は、ケーシング２０の上面に加えて、その一部がケーシング２０の下面から下方に突出する構成としてもよい。この場合、ケーシング２０の下面側に、上述のカバー２１と、後述の環状壁２３、外側環状壁２５、及び、内カバー３３が設けられてよい。
【００２５】
ロータ３２は、シャフト３１の径方向外側に配置される。ロータ３２は、ケーシング本体部２０１の内部に収容され、ステータ２２の径方向内側に位置する。ロータ３２は、詳細には、ロータコア３２１と磁石部３２２とを有する。
【００２６】
円筒状のロータコア３２１は、例えば磁性鋼板を軸方向に積層して構成される。ただし、ロータコア３２１は、例えば、円筒状或いは円柱状の磁性材に加工を施して形成されてもよい。ロータコア３２１の中心には、シャフト３１が圧入される。ロータコア３２１はシャフト３１と共に回転する。
【００２７】
本実施形態では、磁石部３２２は、ロータコア３２１の径方向外側に固定配置される。磁石部３２２は、周方向にＮ極とＳ極とが並ぶように構成される。磁石部３２２は、例えば、周方向に並ぶ複数の永久磁石によって構成されてもよいし、円筒状の１つの永久磁石によって構成されてもよい。
【００２８】
内カバー３３は、ケーシング２０の上面側に配置される。詳細には、内カバー３３は蓋部２０２の上側に配置される。内カバー３３はカバー２１に覆われる。本実施形態では、内カバー３３は、シャフト３１の、蓋部２０２から上側に突出する部分に固定される。内カバー３３は、蓋部２０２とカバー２１との間に位置する。内カバー３３は、シャフト３１と共に回転する。内カバー３３は、モータ１の内部に水や塵埃が入ることを防止する。
【００２９】
詳細には、内カバー３３は、下方側に開口するカップ形状である。内カバー３３は、上面の中央部にシャフト３１を通す孔を有する。内カバー３３は、合成ゴムや天然ゴム等の弾性に富む部材で構成することが好ましい。内カバー３３は、その一部が弾性変形してシャフト３１に設けられる溝３１ａに嵌り込み、シャフト３１に固定される。溝３１ａは、シャフト３１の表面に対して径方向内側に凹む。シャフト３１の上側からシャフト３１をつたってモータ１の内部に浸入しようとする水は、内カバー３３によって進行を妨げられる。このために、モータ１の外部からシャフト３１をつたって軸受部４に水が到達することを抑制することができる。
【００３０】
軸受部４は、静止部２に対して回転部３を回転可能に支持する。軸受部４は、シャフト３１の径方向外側に位置して、その一部がシャフト３１に固定される。本実施形態では、軸受部４は、第１軸受４１と第２軸受４２とを有する。第１軸受４１及び第２軸受４２は玉軸受である。ただし、これらは、スリーブ軸受等の別の種類の軸受であってもよい。
【００３１】
第１軸受４１は、蓋部２０２の下面側に設けられる第１保持部４３に保持される。第１保持部４３は、蓋部２０２の下面から下方に延びる円筒部である。本実施形態においては、蓋部２０２と第１保持部４３とは単一部材である。第２軸受４２は、ブラケット２０３の上面側に設けられる第２保持部４４に保持される。第２保持部４４は、ブラケット２０３の上面から上方に延びる円筒部である。本実施形態においては、ブラケット２０３と第２保持部４４とは単一部材である。
【００３２】
モータ１においては、コイル２２２に電流が供給されることにより、ティース２２１ｂに径方向の磁束が発生する。この磁束によって形成される磁界と、磁石部３２２によって形成される磁界とが作用して、ロータ３２の周方向にトルクが発生する。このトルクによって、回転部３が中心軸Ａを中心として回転する。コイル２２２への電流の供給が停止されると、回転部３の回転は停止される。
【００３３】
＜２．ケーシング及びカバーの詳細＞
図３は、図１に示すモータ１のカバー２１を取り外した図である。図４は、カバー２１を取り外したモータ１の平面図である。なお、図４は、モータ１を軸方向上側から見た図である。
【００３４】
図２、図３及び図４に示すように、静止部２は、ケーシング２０の上面、且つ、軸受部４より径方向外方に配置される環状壁２３を有する。詳細には、環状壁２３は蓋部２０２の上面に設けられる。環状壁２３は、蓋部２０２の上面から上方に突出する。環状壁２３は円環状である。ただし、環状壁２３は楕円環状等、他の形状であってもよい。環状壁２３は蓋部２０２と単一部材である。ただし、環状壁２３は蓋部２０２と別部材であってもよい。
【００３５】
図２に示すように、カバー２１は、環状壁２３及び軸受部４を覆う。本実施形態では、内カバー３３は、環状壁２３の径方向内側に配置される。内カバー３３は、軸受部４の上面の少なくとも一部を覆う。換言すると、カバー２１は内カバー３３を覆う。本実施形態では、カバー２１に加えて、内カバー３３によって軸受部４が覆われるために、軸受部４に水や異物が付着することを低減できる。また、カバー２１によって内カバー３３が覆われているために、水圧等によって内カバー３３が変形することを防止できる。
【００３６】
図４に示すように、環状壁２３は、当該環状壁２３の径方向内側と外側の面を貫通する第１スリット２３０を有する。詳細には、第１スリット２３０は、環状壁２３の径方向内側と外側の面を径方向に貫通する。本実施形態では、第１スリット２３０は、上部が開口する溝であるが、溝に替えて孔であってもよい。第１スリット２３０の数は、単数であってもよいが、複数であることが好ましい。本実施形態では、第１スリット２３０の数は５つであるが、この数は変更されてよい。複数の第１スリット２３０は、周方向に間隔をあけて配置される。本実施形態では、複数の第１スリット２３０は、周方向に等間隔に配置される。
【００３７】
図５は、図４の一部を拡大して示した図である。図５に示すように、第１スリット２３０は、径方向内側から外側に向けて周方向の幅を狭くする第１テーパ部２３０１を有する。本構成によれば、第１スリット２３０を通過する水や異物を、内側から外側に向けて通過させ易く、外側から内側に向けて通過させ難くすることができる。
【００３８】
詳細には、第１テーパ部２３０１は、径方向に対して傾斜する傾斜面である。第１テーパ部２３０１は、環状壁２３の内周面から外周面まで延びてもよいが、環状壁２３の内周面から外周面までの一部の範囲に設けられてもよい。本実施形態では、第１スリット２３０を構成する周方向に対向する２つの面の両方が第１テーパ部２３０１を有する。ただし、これは例示である。第１スリット２３０を構成する周方向に対向する２つの面のうちのいずれか一方のみが、第１テーパ部２３０１を有してもよい。また、本実施形態では、複数の第１スリット２３０の全てが第１テーパ部２３０１を有する構成としているが、複数の第１スリット２３０のうちの一部が第１テーパ部２３０１を有する構成としてもよい。また、複数の第１スリット２３０のうちのいずれもが、第１テーパ部２３０１を有さない構成としてもよい。
【００３９】
ケーシング２０の上面とカバー２１の下面との少なくとも一方には、軸方向に凹み、且つ、径方向成分を含む方向に延びる溝部２４が設けられる。図３、図４及び図５に示すように、本実施形態では、溝部２４はケーシング２０の上面に設けられる。詳細には、溝部２４は蓋部２０２の上面に設けられる。溝部２４は、蓋部２０２の上面から下方に凹む。溝部２４は径方向に延びる。これによれば、モータ１の回転方向が、中心軸Ａを中心として時計回り方向と反時計回り方向とのいずれの方向で使用される場合でも、溝部２４によって水を効率良く排水することができる。ただし、溝部２４は径方向に対して傾斜する方向に延びてもよい。
【００４０】
溝部２４の数は、単数であってもよいが、複数であることが好ましい。本実施形態では、溝部２４の数は５つであるが、この数は変更されてよい。複数の溝部２４は、周方向に間隔をあけて配置される。本実施形態では、複数の溝部２４は、周方向に等間隔に配置される。
【００４１】
溝部２４は、径方向外側にて当該モータ１の外部に面する外開口部２４１を有する。本実施形態では、外開口部２４１は、ケーシング２０の径方向外側の端部に位置する。詳細には、溝部２４は蓋部２０２の外周まで延びる。外開口部２４１は径方向外側に開口する。本構成によれば、溝部２４によってケーシング２０の径方向外側の端部まで水を運ぶことができるために、水をモータ１の外部に円滑に排水することができる。
【００４２】
溝部２４は、径方向内側に開口する内開口部２４２を有する。内開口部２４２は、カバー２１の内周面と比べて、同じ径方向位置、又は、径方向内側に位置する。本実施形態では、内開口部２４２は、カバー２１の内周面の径方向内側に位置する。
【００４３】
本実施形態では、例えば図２や図３に示されるように、ケーシング２０の上面には、環状壁２３の径方向外側、且つ、カバー２１の内周面よりも径方向内側に配置される外側環状壁２５が設けられる。詳細には、外側環状壁２５は蓋部２０２の上面に設けられる。外側環状壁２５は、蓋部２０２の上面から上方に突出する。カバー２１は、環状壁２３及び外側環状壁２５を覆う。本実施形態では、外側環状壁２５は、カバー本体部２１の軸方向に延びる側壁の内周面に接する。ただし、外側環状壁２５と、カバー本体部２１の軸方向に延びる側壁の内周面とは径方向に離れていてもよい。
【００４４】
外側環状壁２５は、当該外側環状壁２５の径方向内側と外側の面を貫通する第２スリット２５０を有する。詳細には、第２スリット２５０は、外側環状壁２５の径方向内側と外側の面を径方向に貫通する。本実施形態では、第２スリット２５０は、上部が開口する溝であるが、溝に替えて孔であってもよい。第２スリット２５０の数は、単数であってもよいが、複数であることが好ましい。本実施形態では、第２スリット２５０の数は５つであるが、この数は変更されてよい。複数の第２スリット２５０は、周方向に間隔をあけて配置される。本実施形態では、複数の第２スリット２５０は、周方向に等間隔に配置される。
【００４５】
図５に示すように、第２スリット２５０は、径方向内側から外側に向けて周方向の幅を狭くする第２テーパ部２５０１を有する。本構成によれば、第２スリット２５０を通過する水や異物を、内側から外側に向けて通過させ易く、外側から内側に向けて通過させ難くすることができる。
【００４６】
詳細には、第２テーパ部２５０１は、径方向に対して傾斜する傾斜面である。径方向に対する傾斜角度は、第１テーパ部２３０１と第２テーパ部２５０１とで同じであってもよし、異なってもよい。第２テーパ部２５０１は、外側環状壁２５の内周面から外周面まで延びてもよいが、外側環状壁２５の内周面から外周面までの一部の範囲に設けられてもよい。本実施形態では、第２スリット２５０を構成する周方向に対向する２つの面の両方が第２テーパ部２５０１を有する。ただし、これは例示である。第２スリット２５０を構成する周方向に対向する２つの面のうちのいずれか一方のみが、第２テーパ部２５０１を有してもよい。また、本実施形態では、複数の第２スリット２５０の全てが第２テーパ部２５０１を有する構成としているが、複数の第２スリット２５０のうちの一部が第２テーパ部２５０１を有する構成としてもよい。また、複数の第２スリット２５０のうちのいずれもが、第２テーパ部２５０１を有さない構成としてもよい。
【００４７】
第２スリット２５０は内開口部２４２に繋がる。複数の第２スリット２５０は、それぞれ、別々の内開口部２４２に繋がる。すなわち、第２スリット２５０の数と内開口部２４２の数は同じである。外側環状壁２５の径方向内側から第２スリット２５０を介して径方向外側に排出された水は、溝部２４を通ってモータ１の外部に排出される。
【００４８】
第１スリット２３０と内開口部２４２とは、周方向に離れた位置に配置される。換言すると、第１スリット２３０と第２スリット２５０とは、周方向に離れた位置に配置される。なお、第１スリット２３０と第２スリット２５０とは径方向に重ならない。
【００４９】
本実施形態では、カバー２１によって軸受部４に水や異物が付着することを防止できる。カバー２１は、内カバー３３を保護することもできる。また、本実施形態では、カバー２１の内側に入った水は、溝部２４によって外部に排出することができる。詳細には、カバー２１の内側に入った水は、内カバー３３によって軸受部４に到達することを阻止される。内カバー３３の径方向外側の水は、第１スリット２３０や第２スリット２５０を介して径方向外側に導かれ、溝部２４によって外部に排出される。
【００５０】
なお、本実施形態では、第１スリット２３０と溝部２４とは、それぞれ、周方向に間隔をあけて複数配置される。溝部２４が複数配置されるために、内開口部２４２に繋がる第２スリット２５０も複数配置される。この構成では、複数箇所からモータ１の外部に水を排出することができるので、モータ１の内部に水が溜まることを抑制することができる。
【００５１】
一方で、溝部２４の内開口部２４２と、第１スリット２３０とが周方向に離れた位置に配置される。このために、外部から溝部２４を通って径方向内側に入ってきた水を一旦環状壁２３にぶつけることができ、径方向内側への水の浸入を阻止することができる。すなわち、外部から溝部２４を通って径方向内側に入ってきた水が、簡単に第１スリット２３０を通ってモータ１の内部に浸入することを防止できる。詳細には、外部から溝部２４を通って径方向内側に入ってきた水は、第２スリット２５０を通過するが、環状壁２３にぶつかって径方向内側への浸入を阻止される。外部から溝部２４以外を通って径方向内側に浸入する水は、外側環状壁２５によって径方向内側への進行を阻止される。このために、本実施形態のモータ１では、外部から軸受部４に水が到達することを抑制できる。水の場合と同様のメカニズムによって、外部から軸受部４に塵埃が到達することも抑制することができる。
【００５２】
なお、溝部２４の軸方向の深さは一定でもよいが、径方向外側に向けて徐々に深くなる構成としてもよい。このような構成とすることによって、水を外部に排出し易く、水が内部に浸入し難い構成とすることができる。
【００５３】
＜３．変形例等＞
（３−１．第１変形例）
図６は、本発明の実施形態に係るモータ１の第１変形例を示す平面図である。図６は、第１変形例のモータ１Ａを軸方向上側から見た図である。図６において符号３１Ａはシャフトである。モータ１Ａは、ケーシング２０Ａの上面に固定されるカバー２１Ａを有する。カバー２１Ａは、カバー本体部２１０Ａとフランジ部２１１Ａとを有する。カバー本体部２１０Ａに覆われた部分の内部構造は、第１実施形態と同様である。
【００５４】
第１変形例のモータ１Ａでは、フランジ部２１１Ａの外周は、軸方向からの平面視において、蓋部２０２Ａの外周より内側に位置する。この点、第１実施形態の構成と異なる。蓋部２０２Ａの上面に設けられる溝部２４Ａは、軸方向上側からの平面視において、一部がカバー２１Ａに覆われることなく外部に露出する。なお、本変形例の構成では、溝部２４Ａの外開口部２４１Ａは、蓋部２０２Ａの外周端より径方向内側に位置してよい。
【００５５】
図７は、第１変形例のモータ１Ａの蓋部２０２Ａとカバー２１Ａとの関係を示す概略拡大図である。図８は、図７のＢ−Ｂ位置の概略断面図である。図７及び図８に示すように、蓋部２０２Ａは、径方向溝２０２１と貫通孔２０２２とを有する。径方向溝２０２１は、蓋部２０２Ａの上面から下方に向けて凹み、径方向に延びる。貫通孔２０２２は、径方向溝２０２１の径方向内側の端部の底壁を上下に貫通する。詳細には、径方向溝２０２１は、軸方向からの平面視において、径方向の両端部に丸みを帯びた矩形状である。貫通孔２０２２は、軸方向から平面視において円形状である。ただし、径方向溝２０２１及び貫通孔２０２２の形状は他の形状であってよい。
【００５６】
フランジ部２１１Ａは、径方向溝２０２１の径方向外方の端部を露出させて径方向溝２０２１の径方向内側と軸方向に重なる。詳細には、径方向溝２０２１は、径方向外方の端部を除き、フランジ部２１１Ａに覆われている。これによれば、ケーシング２０Ａの内部に結露等によって溜まった水を、貫通孔２０２２及び径方向溝２０２１を利用して外部に排水することができる。また、径方向溝２０２１の一部をフランジ部２１１Ａで覆うことによって、外部から水が貫通孔２０２２に直接入ることを防止できる。すなわち、モータ１Ａの内部に水が入り難くすることができる。径方向溝２０２１の一部を覆う部品としてカバー２１Ａの一部が使用されるために、部品点数の増加を抑制することができる。
【００５７】
（３−２．第２変形例）
図９は、本発明の実施形態に係るモータ１の第２変形例を示す平面図である。図９は、第２変形例のモータ１Ｂを軸方向上側から見た図である。図１０は、図９に示す第２変形例のモータ１Ｂの側面図である。図９においては、軸方向上側から見た場合に本来見えない部分を一点鎖線で示している。図９及び図１０において符号３１Ｂはシャフトである。ケーシング２０Ｂは、第１実施形態と同様に、ケーシング本体部２０１Ｂと、蓋部２０２Ｂとを有する。
【００５８】
第２変形例のモータ１Ｂでは、カバー２１Ｂの下面に、軸方向上側に向けて凹み、且つ、径方向に延びる溝部２４Ｂが設けられている。詳細には、カバー２１Ｂは、有底円筒状のカバー本体部２１０Ｂと、カバー本体部２１０Ｂの下端から径方向外方に突出するフランジ部２１１Ｂとを有する。フランジ部２１１Ｂは、蓋部２０２Ｂの上面と接する。溝部２４Ｂは、フランジ部２１１Ｂの下面に設けられる。溝部２４Ｂは複数設けられる。本変形例では、溝部２４Ｂの数は５つであるが、この数は変更されてよい。
【００５９】
溝部２４Ｂの外開口部２４１Ｂは、カバー２１Ｂの径方向外側の端部に位置する。外開口部２４１Ｂは径方向外側に開口する。溝部２４Ｂの内開口部２４２Ｂは、カバー２１Ｂの内周面と同じ径方向位置に位置し、当該位置で径方向内側に開口する。詳細には、内開口部２４２Ｂは、カバー本体部２１０Ｂの内周面２１０１と同じ径方向位置に位置する。
【００６０】
本変形例では、蓋部２０２Ｂの上面には、カバー２１Ｂによって覆われる環状壁２３Ｂを有する。環状壁２３Ｂは、当該環状壁２３Ｂの径方向内側と外側の面を貫通する第１スリット２３０Ｂを有する。第１スリット２３Ｂは、周方向に複数設けられる。本変形例では、第１スリット２３０Ｂの数は５つであるが、この数は変更されてよい。なお、第２変形例では、環状壁２３Ｂの径方向外側に配置される外側環状壁は設けられない。
【００６１】
第１スリット２３０Ｂと内開口部２４２Ｂとは、周方向に離れた位置に配置される。このために、外部から溝部２４Ｂを通って径方向内側に入ってきた水を一旦環状壁２３にぶつけることができ、径方向内側への水の浸入を阻止することができる。
【００６２】
（３−３．留意点）
以上に示した実施形態や変形例の構成は、本発明の例示にすぎない。実施形態や変形例の構成は、本発明の技術的思想を超えない範囲で適宜変更されてもよい。また、以上に示した実施形態及び複数の変形例は、可能な範囲で組み合わせて実施されてよい。
【００６３】
また、本発明は、中心軸Ａが上下方向に延びるモータ１以外に適用されてよい。例えば、本発明は、中心軸Ａが水平方向に延びるモータに適用されてよい。
【産業上の利用可能性】
【００６４】
本発明は、例えば屋外等の水がかかり易い環境に配置されるモータ等に広く適用できる。本発明は、例えば、鉄道用の空調機に適用されるモータに利用可能である。
【符号の説明】
【００６５】
１・・・モータ
２・・・静止部
３・・・回転部
４・・・軸受部
５・・・固定部材
２０・・・ケーシング
２１・・・カバー
２３・・・環状壁
２４・・・溝部
２５・・・外側環状壁
３３・・・内カバー
２０１・・・ケーシング本体部
２０２・・・蓋部
２１１・・・カバー本体部
２１２・・・フランジ部
２３０・・・第１スリット
２４１・・・外開口部
２４２・・・内開口部
２５０・・・第２スリット
２０２１・・・径方向溝
２０２２・・・貫通孔
２３０１・・・第１テーパ部
２５０１・・・第２テーパ部
Ａ・・・中心軸
【図１】
2019022325.tif 000003
【図２】
2019022325.tif 000004
【図３】
2019022325.tif 000005
【図４】
2019022325.tif 000006
【図５】
2019022325.tif 000007
【図６】
2019022325.tif 000008
【図７】
2019022325.tif 000009
【図８】
2019022325.tif 000010
【図９】
2019022325.tif 000011
【図１０】
2019022325.tif 000012